(57)【要約】【課題】  内部に生花や観葉植物などの天然植物又は造花などの人工植物を収納する容器本体に対して保護部材を簡便に取り付け及び取り外すことができ、容器本体と保護部材がねじれるような水平方向に回転する力が働いたとしても容器本体が保護部材から脱落することがない植物用収納容器置を提供することを課題とする。【解決手段】  植物Ｐの下部を収納し、一端側に開口部２１を有し、他端側にある底面部２２から開口部２１に向かって径が大きくなる容器本体２と、中空であり、下端側に容器本体２の一端よりも径が小さい第一貫通口３１と、第一貫通口３１から上端側にある第二貫通口３２に向かって径が大きくなる保護部材３を備え、容器本体２の一端側の外周壁２３と、保護材３の下端側の内壁３４とが当接し、容器本体２と保護部材３が係止可能とすることで解決することができた。【選択図】図１
2016020230.tif 000002
【特許請求の範囲】
【請求項１】
植物の下部を収納し、一端側に開口部を有し、他端側にある底面部から前記開口部に向かって径が大きくなる容器本体と、
中空であり、下端側に前記容器本体の一端よりも径が小さい第一貫通口と、前記第一貫通口から上端側にある第二貫通口に向かって径が大きくなる保護部材を備え、
前記容器本体の一端側の外周壁と、前記保護部材の下端側の内壁とが当接し、前記容器本体と前記保護部材が係止可能であることを特徴とする植物用収納容器。
【請求項２】
前記保護部材の上端に外周側面側に張り出した鍔部を備えることを特徴とする請求項１に記載の植物用収納容器。
【請求項３】
一端側に穿孔を有する把持部と、中央近傍に前記容器本体及び前記保護部材を挿通する挿通孔と、前記挿通孔の周囲に前記鍔部と当接して前記保護部材を支持する支持部を有し、帯状の取手を備えることを特徴とする請求項２に記載の植物用収納容器。
【請求項４】
前記保護部材が透明部材からなることを特徴とする請求項１から請求項３のいずれかに記載の植物用収納容器。
【請求項５】
前記容器本体の一端から他端までの高さが、前記保護部材の下端から上端までの高さよりも大きいことを特徴とする請求項１から請求項４のいずれかに記載の植物用収納容器。
【発明の詳細な説明】
【技術分野】
【０００１】
本発明は、内部に生花や観葉植物などの天然植物又は造花などの人工植物を収納する容器であって、持ち運びときや観賞のため静置するときに用いられる容器に関するものである。  
【背景技術】
【０００２】
花屋で花などの植物を購入したり、卒業式や退職の記念などで花などの植物が贈呈されたりしたときに、それら植物を充分に保護する部材がなければ、自宅に持ち帰るまでに人や物などに誤ってぶつけると、葉が落ちたり花弁が剥がれたりして価値を損なうおそれがある。
【０００３】
このため、それら植物を手で持って帰るようなときに、花や葉などが傷付かないようにそれら植物を納めて保護する部材が設けられることがある。
【０００４】
例えば、特許文献１には、観葉植物Ｐの下部を受ける受け部材１０と、受け部材１０とは別体として設けられ、受け部材１０が脱落することを防ぐ被係止片３６などの脱落防止手段Ｂを有する外箱３０などを備えた包装用容器が開示されている。
【先行技術文献】
【特許文献】
【０００５】
【特許文献１】特開２００４−５１１４１号公報
【発明の概要】
【発明が解決しようとする課題】
【０００６】
しかしながら、特許文献１に開示されている包装容器では、外箱３０の左右両側壁３３に設けられた対向する被係止片３６を外箱３０の内側に押しこんで内側に突出するように折り曲げて、そこに受け部材１０の上部に設けられ外側に突出する係止片１６を係止させて外箱３０から受け部材１０を脱落しないようにしているが、都度外箱３０を組み立て、被係止片３６を折り曲げる作業が必要であるため、作業上手間である。
【０００７】
また、外箱３０の内側に押し込まれた対向する一対の被係止片３６で受け部材１０の脱落を防止するため、被係止片３６がどの程度の重さの受け部材１０まで適切に支持して脱落を防止できるか分からないため、梱包作業者及び持ち帰る者が不安を覚えることがあり、さらに、何かのはずみで外箱３０と受け部材１０とがねじれるような水平方向に回転する力が働いたときに受け部材１０の係止片１６と外箱３０の被係止片３６との係止が外れ、外箱３０から受け部材１０が脱落するおそれがあった。
【０００８】
そこで、本発明は、内部に生花や観葉植物などの天然植物又は造花などの人工植物を収納する容器本体に対して保護部材を簡便に取り付け及び取り外すことができ、容器本体と保護部材がねじれるような水平方向に回転する力が働いたとしても容器本体が保護部材から脱落することがない植物用収納容器置を提供することを課題とする。
【課題を解決するための手段】
【０００９】
〔１〕すなわち、本発明は、植物の下部を収納し、一端側に開口部を有し、他端側にある底面部から前記開口部に向かって径が大きくなる容器本体と、中空であり、下端側に前記容器本体の一端よりも径が小さい第一貫通口と、前記第一貫通口から上端側にある第二貫通口に向かって径が大きくなる保護部材を備え、前記容器本体の一端側の外周壁と、前記保護部材の下端側の内壁とが当接し、前記容器本体と前記保護部材が係止可能であることを特徴とする植物用収納容器である。
【００１０】
〔２〕そして、前記保護部材の上端に外周側面側に張り出した鍔部を備えることを特徴とする前記〔１〕に記載の植物用収納容器である。
【００１１】
〔３〕そして、一端側に穿孔を有する把持部と、中央近傍に前記容器本体及び前記保護部材を挿通する挿通孔と、前記挿通孔の周囲に前記鍔部と当接して前記保護部材を支持する支持部を有し、帯状の取手を備えることを特徴とする前記〔１〕又は前記〔２〕に記載の植物用収納容器である。
【００１２】
〔４〕そして、前記保護部材が透明部材からなることを特徴とする前記〔１〕から前記〔３〕のいずれかに記載の植物用収納容器である。
【００１３】
〔５〕そして、前記容器本体の一端から他端までの高さが、前記保護部材の下端から上端までの高さよりも大きいことを特徴とする前記〔１〕から前記〔４〕のいずれかに記載の植物用収納容器である。
【発明の効果】
【００１４】
上記〔１〕に記載の発明によれば、前記容器本体の一端側の外周壁と、前記保護部材の下端側の内壁とが当接して、前記保護部材と前記容器本体が係止することにより、内部に生花や観葉植物などの天然植物又は造花などの人工植物を収納する容器本体に対して保護部材を簡便に取り付け及び取り外すことができ、そして、容器本体と保護部材がねじれるような水平方向に回転する力が働いたとしても容器本体が保護部材から脱落することがない。
【００１５】
上記〔２〕に記載の発明によれば、さらに、前記鍔部の下面を別部材で引っかかるように支持することにより、前記容器本体と前記保護部材を一体として持ち運ぶことができる。
【００１６】
上記〔３〕に記載の発明によれば、さらに、簡便な取手を備えることにより、組み立てる作業を簡便に行うことができ、前記容器本体と前記保護部材を一体として持ち運ぶことができる。
【００１７】
上記〔４〕に記載の発明によれば、さらに、予め花などの植物を前記保護部材で覆っていたとしても内容物を視認することができるので、他人の植物と取り違って持ち帰る可能性を低減することができる。
【００１８】
上記〔５〕に記載の発明によれば、花などの植物を室内等に飾るために机などの置いたときに、前記保護部材を下方に押し下げて前記容器本体から分離してそのまま机などに置いておくと、前記容器本体より外側に向かって広がるそれら植物より前記保護部材の上端の方が低くなるため、前記保護部材を廃棄しなくてもそれら植物が綺麗に飾られ、他の場所に持ち運ぶときに前記保護部材を再利用しやすく、前記保護部材の外周に模様や絵などを施されているとそれ自体装飾物となり得る。
【図面の簡単な説明】
【００１９】
【図１】本発明の一の植物用収納容器における斜視図である。
【図２】本発明の一の植物用収納容器におけるＡ−Ａ線断面図である。
【図３】本発明の一の植物用収納容器における容器本体と保護部材を分離した断面図である。
【図４】本発明の第一の植物用収納容器における持ち運び時などの使用状態を示す図である。
【図５】本発明の第一の植物用収納容器における装飾時などの使用状態を示す図である。
【図６】本発明で使用される取手の展開図である。
【図７】本発明の第一の植物用収納容器における取手を装着したときの斜視図である。
【図８】本発明の第一の植物用収納容器に取手を装着し、内部に植物を収納して持ち運ぶときなどの使用状態を示す図である。
【図９】本発明の第二の植物用収納容器における斜視図である。
【発明を実施するための形態】
【００２０】
以下、本発明に係る植物用収納容器に関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。また、説明中の上下方向は、図２〜図５などにおける上下方向であり、水平方向は、図２〜図５などにおける左右方向又は紙面前後方向などである。なお、数量の範囲を示す表現は上限と下限を含むものである。
【００２１】
図１には、本発明の第一の実施形態を示している。植物用収納容器１は、容器本体２と保護部材３とを互いに係わりあって動かないように静止させ、内部に生花や観葉植物などの天然植物又は造花などの人工植物を納めるよう構成された容器である。
【００２２】
容器本体２は、植物Ｐの下部を収納し、図２及び図３における上側である一端側に上方に開いた開口部２１を有し、図２及び図３における下側である他端側にある底面部２２から開口部２１に向かって径が大きくなる構成を有している。本実施形態において、容器本体２は、中空で一端側に開口部２１を有する略円錐台の形状を有している。
【００２３】
容器本体２は、植物Ｐを支持する円板状の底面部２２と、底面部２２の外周に固設され容器としての外形を形成する外周壁２３及び内周壁２４を備えている。外周壁２３及び内周壁２４の間隔は略同一であり、底面部２２から開口部２１に向かうに従って内径及び外径が徐々に連続して大きくなっている。図２に示すように、容器本体２の底面部２２と開口部２１を結ぶ中心軸ａに対して、外周壁２３及び内周壁２４の傾斜角θは、５〜４０°傾斜していることが好ましい。この傾斜角θが５°未満であると、容器本体２の外周壁２３と保護部材３の内壁３４との摩擦力が不十分であるため、植物Ｐを収納した容器本体２が保護部材３から脱落するので好ましくない。また、この傾斜角θが４０°より大きいと、容器本体２の外周壁２３と係止する保護部材３の径が大きくなり持ち運ぶときに嵩張るので好ましくない。
【００２４】
なお、本実施形態において、容器本体２の外周壁２３及び内周壁２４が滑らかな曲面形状であるが、他の実施形態において、底面部２２から開口部２１に向かって径が大きくなる構成を有していれば、容器本体２の外周壁２３及び内周壁２４が段差や凹凸を有する曲面形状でなってもよい。
【００２５】
さらに、容器本体２において、底面部２２の中央近傍に注いだ水のうち過剰分を容器本体２から排出するために、底面部２２の中央近傍に円形状又は角形状などの形状で排水口を穿設することができる。
【００２６】
容器本体２は、販売店が店頭に陳列するとき、又は、購入者が観賞のために静置するときに、わざわざ収納する植物Ｐを他の容器に移し替えることなくそのままでも使用できるように、図５に示すように、容器本体２の内部に収容する植物Ｐよりも高さが低いことが好ましい。
【００２７】
容器本体２の材質は、特に限定されるものでなく、ポリプロピレン、ポリエチレン、ポリエチレンテレフタレートなどの高分子材料、紙、陶器、金属など種々の素材を使用することができる。
【００２８】
保護部材３は、中空であり、図２及び図３における下側である下端側に容器本体２の一端よりも径が小さい第一貫通口３１と、第一貫通口３１から上端側にある第二貫通口３２に向かって径が大きくなる構成を有している。本実施形態において、保護部材３は、中空で上下に貫通口を有する略円錐台の形状を有している。
【００２９】
保護部材３は、植物Ｐを挿通する第一貫通口３１と第二貫通口３２を取り囲み、部材としての外形を形成する外壁３３及び内壁３４を備えている。外壁３３及び内壁３４の間隔は略同一であり、第一貫通口３１から第二貫通口３２に向かうに従って内径及び外径が徐々に連続して大きくなっている。図２に示すように、保護部材３の第一貫通口３１と第二貫通口３２を結ぶ中心軸ａに対して、外壁３３及び内壁３４の傾斜角θ´は、５〜４０°傾斜していることが好ましい。この傾斜角θ´が５°未満であると、容器本体２の外周壁２３と保護部材３の内壁３４との摩擦力が不十分であるため、植物Ｐを収納した容器本体２が保護部材３から脱落するので好ましくない。また、この傾斜角θ´が４０°より大きいと、容器本体２の外周壁２３と係止する保護部材３の径が大きくなり持ち運ぶときに嵩張るので好ましくない。また、外壁３３及び内壁３４の傾斜角θ´は外周壁２３及び内周壁２４の傾斜角θと等しいことが好ましい。
【００３０】
なお、本実施形態において、保護部材３の外壁３３及び内壁３４が滑らかな曲面形状であるが、他の実施形態において、第一貫通口３１から第二貫通口３２に向かって径が大きくなる構成を有していれば、保護部材３の外壁３３及び内壁３４が段差や凹凸を有する曲面形状でなってもよい。
【００３１】
保護部材３の下端から上端までの高さは、容器本体２の一端から他端までの高さよりも小さいことが好ましい。このように構成されれば、花などの植物Ｐを室内等に飾るために机などの置いたときに、保護部材３を下方に押し下げて容器本体２から分離してそのまま机などに置いておくと、容器本体２の一端より外側に向かって広がるそれら植物Ｐより保護部材３の上端の方が低くなるため、保護部材３を廃棄しなくてもそれら植物Ｐが綺麗に飾られ、他の場所に持ち運ぶときに保護部材３を持ち上げて容器本体２と係止すれば保護部材３を再利用することができる。さらに保護部材３の外壁３３に、模様や絵などが描かれていると、保護部材３そのものが装飾物となり、再利用することができる。
【００３２】
保護部材３の材質は、特に限定されるものでないが、内部に収納した植物Ｐを外側からでも視認しやすくために、ポリプロピレン、ポリエチレン、ポリエチレンテレフタレートなどの透明な高分子材料であることが好ましい。また、これら高分子材料に種々の顔料や染料が配合されて透明性を有しながら着色されていても良い。
【００３３】
そして、図３に示すように、容器本体２と保護部材３は、保護部材３の下端側の第一貫通口の内径が容器本体２の一端の外径よりも小さいため、保護部材３の上方から容器本体２を着脱することができる。このようにして、容器本体２の外周壁２３と保護部材３の内壁３４とが当接して、保護部材３と容器本体２が係止することにより、内部に植物Ｐを収納する容器本体２に対して保護部材３を簡便に取り外しすることができ、そして、容器本体２と保護部材３がねじれるような水平方向に回転する力が働いたとしても容器本体が保護部材から脱落することがない。なお、本実施形態において、容器本体２の外周壁２３と保護部材３の内壁３４は円滑な曲面形状を有しているが、他の実施形態において、容器本体２の外周壁２３に外側に突出する突起と保護部材３の内壁３４に内側に突出する突起を設け、それら突起が係合して容器本体２と保護部材３を係止するように構成することができる。さらに他の実施形態において、容器本体２の外周壁２３に外側に突出する突起と保護部材３の内壁３４に溝を設け、それら突起と溝が嵌合して容器本体２と保護部材３を係止するように構成することなどもできる。
【００３４】
図４に示すように、保護部材３と容器本体２を係止して一体とした状態において、内部にスポンジＳに挿した植物Ｐを収納すれば保護部材３が植物Ｐを守り、購入者が自宅などに持ち帰るまでに人や物などに誤ってぶつけても葉が落ちたり花弁が剥がれたりして価値を損なうことはない。そして、図５に示すように、自宅などの持ち帰った後に、保護部材３を下方に押し下げるだけで、容器本体２と分離するので、容器本体２の一端からはみ出る植物Ｐの花弁が外側に広がり極めて簡便にセッティングすることができる。
【００３５】
また、取手４は、植物用収納容器１を簡便に持ち帰るための部材である。図６に示すように、取手４は、一端側に穿孔４１１を有する把持部４１と、中央近傍に容器本体２及び保護部材３を挿通する挿通孔４２と、挿通孔４２の周囲に鍔部３５と当接して保護部材３を支持する支持部４３を有する帯状の部材である。
【００３６】
取手４の他端側の把持部４１´には、外周に切り込みが入れられた留め片４１２を有している。図７及び図８に示すように、挿通孔４２に容器本体２及び保護部材３を挿通して鍔部３５を支持部４３に当接させて保持部材３が落ちないようにして、さらに、両端側の把持部４１、４１´を合わせて留め片４１２を穿孔４１１に通して把持部４１にあてがい、取手４の両端が分離しないようにする。こうして、容器本体２、保護部材３及び取手４を組み立てる作業を簡便に行うことができ、容器本体２と保護部材３を一体として持ち運ぶことができる。
【００３７】
図９には、本発明の第二の実施形態を示している。第一の実施形態とは異なり、容器本体２、保護部材３がそれぞれ六角形状の略錐台の形状を有している。その他の構成は、第一の実施形態と同様の構成を有している。なお、さらに他の実施形態において、四角形、五角形、八角形などの角形状の略錐台の形状を有するようにしても良い。
【符号の説明】
【００３８】
１・・・植物用収納容器
２・・・容器本体
２１・・開口部
２２・・底面部
２３・・外周壁
２４・・内周壁
３・・・保護部材
３１・・第一貫通口
３２・・第二貫通口
３３・・外壁
３４・・内壁
３５・・鍔部
４・・・取手
４１、４１´・・把持部
４１１・穿孔
４１２・留め片
４２・・挿通孔
４３・・支持部
Ｐ・・・植物
Ｓ・・・スポンジ
ａ・・・中心軸
【図１】
2016020230.tif 000003
【図２】
2016020230.tif 000004
【図３】
2016020230.tif 000005
【図４】
2016020230.tif 000006
【図５】
2016020230.tif 000007
【図６】
2016020230.tif 000008
【図７】
2016020230.tif 000009
【図８】
2016020230.tif 000010
【図９】
2016020230.tif 000011